(57)【特許請求の範囲】
【請求項１】
チェンジレバーの先端に配置するノブ本体と、該ノブ本体及び／又はチェンジレバーの一側に配置する第一ノブカバー部材と、前記ノブ本体及び／又はチェンジレバーの他側に配置する第二ノブカバー部材とを備え、
前記第一ノブカバー部材と第二ノブカバー部材は、嵌合可能な爪部と締結孔を備えて、ノブ本体及び／又はチェンジレバーを囲むよう互いに締結し、
前記爪部と締結孔は、強く嵌合するよう形成され、
前記ノブ本体及び／又はチェンジレバーには、直線板と水平板を構成する凸部を備え、
前記凸部の直線板は、第一ノブカバー部材と第二ノブカバー部材を外す際の爪部の押込みを制限するように爪部から離間して配置され、
前記凸部の水平板は、第一ノブカバー部材と第二ノブカバー部材の締結時に第一ノブカバー部材と第二ノブカバー部材の内面に接触するように形成されたことを特徴とするノブの取付構造。
【請求項２】
ノブ本体及び／又はチェンジレバーにスイッチを備え、第一ノブカバー部材と第二ノブカバー部材の少なくとも一方に、外部からスイッチを操作し得るようスイッチ孔を形成した請求項１記載のノブの取付構造。
【請求項３】
爪部を厚く形成した請求項１又は２記載のノブの取付構造。
【請求項４】
締結孔に係る爪部先端を長く形成した請求項１又は２記載のノブの取付構造。
【発明の詳細な説明】
【技術分野】
【０００１】
本発明は、チェンジレバーの上部にノブを配置するノブの取付構造に関するものである。
【背景技術】
【０００２】
図８〜図１１は従来のノブの取付構造を示す概略図であり、チェンジレバー１には、上端にノブ２を配置すると共に、スプリッタの切換やレンジギアの切換を為し得るようスイッチ３を備えたものがある。
【０００３】
ノブ２は、チェンジレバー１の上端に配置するノブ本体４と、ノブ本体４及びチェンジレバー先端部５の一側に配置する第一ノブカバー部材６と、ノブ本体４及びチェンジレバー先端部５の他側に配置する第二ノブカバー部材７とを備えて構成されている。
【０００４】
ノブ本体４は、チェンジレバー１と略同軸上に位置する柱部８と、柱部８の上端に位置するヘッド部９とを備えており、柱部８には、略水平に延在する台座部１０を形成すると共に、一個または複数個のスイッチ３（図８では２個のスイッチ３）をビス１１により取り付け、柱部８の上部には滑り止め用の突起（図示せず）を形成している。
【０００５】
第一ノブカバー部材６は、柱部８の一方の側面に対応する半割の第一筒状胴部１２と、第一筒状胴部１２の上端に形成される水平な第一上面板１３と、チェンジレバー先端部５の一方の側面に対応するよう第一筒状胴部１２の下端に形成される小径で半割の第一筒状下部１４とを備えている。第一筒状胴部１２には、スイッチ３を外方から操作し得るよう外部に露出させる第一のスイッチ孔１５を形成すると共に、第二ノブカバー部材７と合わせて第二のスイッチ孔（図示せず）を形成するスイッチ用切欠き（図示せず）を形成している。又、第一筒状胴部１２の一方の側方位置には、複数の第一の締結孔１６を形成すると共に、他方の側方位置には複数の第二の締結孔１７（図１１に示す）を備えており、更に第二の締結孔１７の近傍には、水平方向に形成される支持体１８（図１１に示す）を備えている。一方、第一上面板１３には、柱部８の外径に嵌め込み得る半円状の切欠き１９を形成すると共に、柱部８の突起（図示せず）に対応する切込み２０を備えている。
【０００６】
第二ノブカバー部材７は、第一ノブカバー部材６と同様に、柱部８の他方の側面に対応する半割の第二筒状胴部２１と、第二筒状胴部２１の上端に形成される水平な第二上面板２２と、チェンジレバー先端部５の他方の側面に対応するよう第二筒状胴部２１の下端に形成される小径で半割の第二筒状下部２３とを備えている。第二筒状胴部２１には、第一ノブカバー部材６と合わせて第二のスイッチ孔（図示せず）を形成するスイッチ用切欠き２４を形成している。又、第二筒状胴部２１の一方の側方位置には、第一筒状胴部１２の第一の締結孔１６に対応する第一の爪部２５を備えると共に、他方の側方位置には、第一筒状胴部１２の第二の締結孔１７に対応する第二の爪部２６を形成している。一方、第二上面板２２には、第一上面板１３と略同様に、柱部８の外径に嵌め込み得る半円状の切欠き２７を形成すると共に、柱部８の突起（図示せず）に対応する切込み２８を備えている。なお、図８中、２９はチェンジレバー１に対して位置決めするガイド部を示している。
【０００７】
ここで、第一の爪部２５は、水平方向に形成される腕状体３０と、腕状体３０の側端より外方に突出する爪部先端３１とから形成されており、第二の爪部２６は、水平方向に形成される支持体３２と、支持体３２の側端より外方に突出する爪部先端３３とから形成されている。
【０００８】
ノブ２をチェンジレバー１に取り付ける際には、ノブ本体４の柱部８にスイッチ３をビス１１により取り付け、第一ノブカバー部材６と第二ノブカバー部材７によりノブ本体４の柱部８及びチェンジレバー先端部５を囲み、スイッチ３を外部に露出させると共にノブ本体４のヘッド部９を上端に露出させ、ノブ２の取付を終了する。ここで、第一ノブカバー部材６と第二ノブカバー部材７によりノブ本体４の柱部８及びチェンジレバー先端部５を囲む際には、第一筒状胴部１２の支持体１８、及び第二筒状胴部２１における第二の爪部２６の支持体３２を、柱部８の台座部１０に当接させることにより、第一ノブカバー部材６と第二ノブカバー部材７の位置を決定し、更に、第二の爪部２６の爪部先端３３を第二の締結孔１７に嵌合させてから、第一の爪部２５の爪部先端３１を第一の締結孔１６に嵌合させ、第一ノブカバー部材６と第二ノブカバー部材７を互いに締結している。
【０００９】
一方、メンテナンス等によりスイッチ３を交換する際には、第一ノブカバー部材６と第二ノブカバー部材７の締結を外してスイッチ３及びノブ本体４の柱部８を露出させ、ビス１１を外すことによりスイッチ３を交換可能にする。ここで、第一ノブカバー部材６と第二ノブカバー部材７の締結を外す際には、第一の爪部２５の爪部先端３１を外方から内方へ押すことにより第一の締結孔１６への嵌合を外している。
【００１０】
なお、ノブの取付構造に関しては、メンテナンス性を改良したものが既にある（例えば、特許文献１参照）。
【特許文献１】特開平８−２１９２６５号公報
【発明の開示】
【発明が解決しようとする課題】
【００１１】
しかしながら、従来のノブの取付構造では、運転中等にノブ本体４のヘッド部９を掴んだ際に、手が第一の爪部２５の爪部先端３１にぶつかり、第一ノブカバー部材６と第二ノブカバー部材７の締結が外れてしまう可能性があった。又、メンテナンス等により第一の爪部２５の爪部先端３１を外方から内方へ押す際には、爪部先端３１を押し過ぎて第一の爪部２５の腕状体３０が折れてしまうという問題があった。
【００１２】
本発明は上述の実情に鑑みてなしたもので、第一ノブカバー部材と第二ノブカバー部材の締結が容易に外れないよう締結の確実性を向上させるノブの取付構造を提供することを目的としている。
【課題を解決するための手段】
【００１３】
本発明の請求項１は、チェンジレバーの先端に配置するノブ本体と、該ノブ本体及び／又はチェンジレバーの一側に配置する第一ノブカバー部材と、前記ノブ本体及び／又はチェンジレバーの他側に配置する第二ノブカバー部材とを備え、
前記第一ノブカバー部材と第二ノブカバー部材は、嵌合可能な爪部と締結孔を備えて、ノブ本体及び／又はチェンジレバーを囲むよう互いに締結し、
前記爪部と締結孔は、強く嵌合するよう形成され、
前記ノブ本体及び／又はチェンジレバーには、直線板と水平板を構成する凸部を備え、
前記凸部の直線板は、第一ノブカバー部材と第二ノブカバー部材を外す際の爪部の押込みを制限するように爪部から離間して配置され、
前記凸部の水平板は、第一ノブカバー部材と第二ノブカバー部材の締結時に第一ノブカバー部材と第二ノブカバー部材の内面に接触するように形成されたことを特徴とするノブの取付構造、に係るものである。
【００１４】
本発明の請求項２は、ノブ本体及び／又はチェンジレバーにスイッチを備え、第一ノブカバー部材と第二ノブカバー部材の少なくとも一方に、外部からスイッチを操作し得るようスイッチ孔を形成した請求項１記載のノブの取付構造、に係るものである。
【００１５】
本発明の請求項３は、爪部を厚く形成した請求項１又は２記載のノブの取付構造、に係るものである。
【００１６】
本発明の請求項４は、締結孔に係る爪部先端を長く形成した請求項１又は２記載のノブの取付構造、に係るものである。
【００１８】
このように、本発明によれば、第一ノブカバー部材と第二ノブカバー部材の締結において、爪部と締結孔は、強く嵌合するよう形成されるので、ノブ本体を掴んだ際に手が爪部にぶつかった場合であっても、爪部と締結孔の嵌合が外れることがなく、結果的に、第一ノブカバー部材と第二ノブカバー部材の締結が容易に外れることを防止し、締結の確実性を向上させることができる。
【００１９】
ノブ本体及び／又はチェンジレバーにスイッチを備え、第一ノブカバー部材と第二ノブカバー部材の少なくとも一方に、外部からスイッチを操作し得るようスイッチ孔を形成すると、スイッチの見栄えを向上させることができる。
【００２０】
爪部を厚く形成し、もしくは締結孔に係る爪部先端を長く形成すると、爪部と締結孔の嵌合を容易に強くし得るので、ノブ本体を掴んだ際に手が爪部にぶつかった場合であっても、爪部と締結孔の締結が外れることを予防し、第一ノブカバー部材と第二ノブカバー部材の締結の確実性を一層向上させることができる。
【００２１】
ノブ本体及び／又はチェンジレバーには、第一ノブカバー部材と第二ノブカバー部材を外す際の爪部の押込みを制限する凸部を備えると、爪部を外方から内方へ押す際に爪部を押し過ぎることを防止するので、爪部の破損を防止することができる。
【発明の効果】
【００２２】
以上、述べたように、本発明のノブの取付構造によれば、ノブ本体を掴んだ際に手が爪部にぶつかった場合であっても、爪部と締結孔の嵌合が外れることがなく、第一ノブカバー部材と第二ノブカバー部材の締結の確実性を向上させることができる。又、ノブ本体及び／又はチェンジレバーは、第一ノブカバー部材と第二ノブカバー部材を外す際の爪部の押込みを制限する凸部の直線板を備えると、爪部を外方から内方へ押す際に爪部を押し過ぎることを防止するので、爪部への折れやヒビ等の破損を防止することができる。更に、凸部は、第一ノブカバー部材と第二ノブカバー部材の内面に当接する水平板を備えるので、第一ノブカバー部材と第二ノブカバー部材を好適に位置決定すると共に、第一ノブカバー部材と第二ノブカバー部材を補強することができる。
【発明を実施するための最良の形態】
【００２３】
以下、本発明の実施の形態例を図面を参照しつつ説明する。
【００２４】
図１は本発明のノブの取付構造を示す斜視図であり、図２はノブ本体４を示す側面図であり、図３は図２のＩＩＩ−ＩＩＩ方向の矢視図であり、図４は図２のＩＶ−ＩＶ方向の矢視図であり、図５は図２のＶ−Ｖ方向の矢視図であり、図６は本発明のノブの取付構造であって凸部の一部分を示す水平断面図であり、図７は本発明のノブの取付構造であって凸部の他の部分を示す水平断面図である。又、図８〜図１１と同一の符号を付した部分は同一物を表わしている。
【００２５】
本形態例のノブの取付構造における第二ノブカバー部材７の第一の爪部３４は、水平方向に形成される腕状体３５と、腕状体３５の側端より外方に突出する爪部先端３６とを、従来例よりも厚く構成すると共に、爪部先端３６を、第一ノブカバー部材６と第二ノブカバー部材７の締結時に第一の締結孔１６より外方へ数ｍｍ突出するよう、従来例よりも長く構成している。
【００２６】
一方、ノブ本体４の柱部８には、第一の爪部３４の後方に位置する凸部３７を備えており、凸部３７は、略垂直方向に延在する一枚の直線板３８と、直線板３８を所定間隔で分割するよう複数枚（図１では４枚）で形成される水平板３９とから構成されている。ここで、直線板３８は、第一ノブカバー部材６と第二ノブカバー部材７の締結時に、腕状体３５の後面から数ｍｍ離間するよう形成されており、水平板３９は、第一ノブカバー部材６と第二ノブカバー部材７の締結時に、第一ノブカバー部材６と第二ノブカバー部材７の内面に当接するよう直線板３８よりも外方に突出して形成されている。又、水平板３９の先端は、第一ノブカバー部材６と第二ノブカバー部材７の内面に線接触するよう湾曲状に形成されている。
【００２７】
以下、本発明を実施する形態例の作用を説明する。
【００２８】
ノブ２をチェンジレバー１に取り付ける際において、第一ノブカバー部材６と第二ノブカバー部材７によりノブ本体４の柱部８及びチェンジレバー先端部５を囲む場合には、第一筒状胴部１２の支持体１８、及び第二筒状胴部２１における第二の爪部２６の支持体３２を、柱部８の台座部１０に当接させると共に、第一筒状胴部１２と第二筒状胴部２１の内面を、凸部３７の水平板３９に当接させることにより、第一ノブカバー部材６と第二ノブカバー部材７の位置を決定する。更に、第二の爪部２６の爪部先端３３を第二の締結孔１７に嵌合させてから、第一の爪部３４の爪部先端３６を第一の締結孔１６に嵌合させ、第一ノブカバー部材６と第二ノブカバー部材７を互いに締結している。
【００２９】
一方、メンテナンス等によりスイッチ３を交換する際において、第一ノブカバー部材６と第二ノブカバー部材７の締結を外す場合には、第一の爪部３４の爪部先端３６を外方から内方へ押すことにより第一の締結孔１６への嵌合を外している。この時、第一の爪部３４の腕状体３５は、後方へ湾曲して凸部３７の直線板３８に当接し、第一の爪部３４の押込みが制限される。
【００３０】
このように、本形態例によれば、第一ノブカバー部材６と第二ノブカバー部材７の締結において、第一の爪部３４と第一の締結孔１６は、強く嵌合するよう形成されるので、運転中等にノブ本体４を掴んだ際に、手が第一の爪部３４の爪部先端３６にぶつかった場合であっても、爪部先端３６と第一の締結孔１６の嵌合が外れることがなく、結果的に、第一ノブカバー部材６と第二ノブカバー部材７の締結が容易に外れることを防止し、締結の確実性を向上させることができる。ここで、第二の爪部２６は車両前側にあり、ノブ本体４を掴んだ際に、手が第二の爪部２６の爪部先端３３にぶつかる可能性はないが、第一の爪部３４と同様に、第二の締結孔１７に強く嵌合するよう形成してもよい。
【００３１】
ノブ本体４及び／又はチェンジレバー１にスイッチ３を備え、第一ノブカバー部材６と第二ノブカバー部材７の少なくとも一方に、外部からスイッチ３を操作し得るよう第一のスイッチ孔１５及び第二のスイッチ孔を形成すると、スイッチ３の見栄えを向上させることができる。
【００３２】
第一の爪部３４を厚く形成し、もしくは第一の締結孔１６に係る爪部先端３６を長く形成すると、第一の爪部３４と第一の締結孔１６の嵌合を容易に強くし得るので、ノブ本体４を掴んだ際に、手が第一の爪部３４の爪部先端３６にぶつかった場合であっても、第一の爪部３４と第一の締結孔１６の締結が外れることを予防し、第一ノブカバー部材６と第二ノブカバー部材７の締結の確実性を一層向上させることができる。
【００３３】
ノブ本体４及び／又はチェンジレバー１には、第一ノブカバー部材６と第二ノブカバー部材７を外す際の第一の爪部３４の押込みを制限する凸部３７の直線板３８を備えると、第一の爪部３４を外方から内方へ押す際に第一の爪部３４を押し過ぎることを防止するので、第一の爪部３４への折れやヒビ等の破損を防止することができる。ここで、凸部３７の直線板３８と腕状体３５の後面との離間距離を大きくした場合には、第一の爪部３４の押込みを制限できず、第一の爪部３４に対する折れやヒビ等の破損を防止できない。又、凸部３７の直線板３８と腕状体３５の後面との離間距離を小さくした場合には、第一の爪部３４を押込むことができず、第一の爪部３４と第一の締結孔１６の締結を外すことができない。
【００３４】
又、凸部３７は、第一ノブカバー部材６と第二ノブカバー部材７の内面に当接する水平板３９を備えるので、柱部８の台座部１０と合わせて、第一ノブカバー部材６と第二ノブカバー部材７を好適に位置決定すると共に、第一ノブカバー部材６と第二ノブカバー部材７を補強することができる。更に、水平板３９の先端を、湾曲状に形成して第一ノブカバー部材６と第二ノブカバー部材７の内面に線接触させるので、第一ノブカバー部材６と第二ノブカバー部材７を更に補強することができる。
【００３５】
尚、本発明のノブの取付構造は、上述の形態例にのみ限定されるものではなく、本発明の要旨を逸脱しない範囲内において種々変更を加え得ることは勿論である。
【図面の簡単な説明】
【００３６】
【図１】本発明のノブの取付構造を示す斜視図である。
【図２】ノブ本体を示す側面図である。
【図３】図２のＩＩＩ−ＩＩＩ方向の矢視図である。
【図４】図２のＩＶ−ＩＶ方向の矢視図である。
【図５】図２のＶ−Ｖ方向の矢視図である。
【図６】本発明のノブの取付構造であって凸部の一部分を示す水平断面図である。
【図７】本発明のノブの取付構造であって凸部の他の部分を示す水平断面図である。
【図８】従来のノブの取付構造を示す斜視図である。
【図９】従来のノブを取り付けた状態を示す側面図である。
【図１０】図９のＸ−Ｘ方向の矢視図である。
【図１１】図９のＸＩ−ＸＩ方向の矢視図である。
【符号の説明】
【００３７】
１  チェンジレバー
２  ノブ
３  スイッチ
４  ノブ本体
６  第一ノブカバー部材
７  第二ノブカバー部材
１５  第１のスイッチ孔
１６  第一の締結孔
１７  第二の締結孔
２６  第二の爪部
３１  爪部先端
３３  爪部先端
３４  第一の爪部
３７  凸部
３８ 直線板
３９ 水平板
【図１】
0004681222.tif 000002
【図２】
0004681222.tif 000003
【図３】
0004681222.tif 000004
【図４】
0004681222.tif 000005
【図５】
0004681222.tif 000006
【図６】
0004681222.tif 000007
【図７】
0004681222.tif 000008
【図８】
0004681222.tif 000009
【図９】
0004681222.tif 000010
【図１０】
0004681222.tif 000011
【図１１】
0004681222.tif 000012